(57)【要約】      （修正有）【課題】容易に使用済みの救急絆創膏を剥がすことができる救急絆創膏を提供する。【解決手段】シート状の基材シート２と、基材シート上に配置され、創傷に当接されるパッド部４とを有し、基材シートのパッド部が設けられた表面２ａには、その表面に粘着部が塗布されて粘着性を有する突起部７が所定間隔で複数設けられている。そして、突起部７の頂部は、平滑に形成されている。【選択図】図２
0003189837.tif 000002
【実用新案登録請求の範囲】
【請求項１】
シート状の基材シートと、
前記基材シート上に配置され、創傷に当接されるパッド部とを有し、
前記基材シートの前記パッド部が設けられた片面には、粘着性を有する突起部が所定間隔で複数設けられている
ことを特徴とする救急絆創膏。
【請求項２】
前記突起部の頂部は、平滑に形成されていることを特徴とする請求項１に記載の救急絆創膏。
【請求項３】
前記突起部は、前記基材シートと一体形成され、当該突起部の表面には粘着剤が被覆されていることを特徴とする請求項１又は２に記載の救急絆創膏。
【請求項４】
前記突起部は、粘着性を有する部材で形成され、前記基材シートに貼着されていることを特徴とする請求項１又は２に記載の救急絆創膏。
【請求項５】
前記パッド部及び前記複数の突起部は、剥離可能に貼着している剥離シートによって被覆されることを特徴とする請求項１乃至４のいずれかに記載の救急絆創膏。
【考案の詳細な説明】
【技術分野】
【０００１】
この考案は、創傷口等の患部の皮膚面に貼着して患部を保護する救急絆創膏に関するものである。
【背景技術】
【０００２】
一般に救急絆創膏は、軟質フィルムからなる基材シートの裏面に粘着剤層が設けられるとともに、この粘着層の略中央部にガーゼ、綿布、不織布等からなるパッドが接着され、必要に応じて患部に貼着して使用されている（例えば、特許文献１）。
【０００３】
特許文献１に開示された救急絆創膏は、表面に粘着剤層を有した粘着フィルムが設けられ、この粘着剤層により周囲が囲まれる程度の大きさのパッド部を備え、このパッド部に液体殺菌消毒剤を含浸させて成り、パッド部及びその周囲の上記粘着剤層を剥離フィルムにより被覆したものであり、殺菌効果等の薬効が長時間持続させている。
【先行技術文献】
【特許文献】
【０００４】
【特許文献１】実用新案登録第３０９９４３５号
【考案の概要】
【考案が解決しようとする課題】
【０００５】
しかしながら、特許文献１に開示されたような救急絆創膏では、基材シートの一方の面全面に粘着剤が塗布されて粘着剤層が形成されているため、その粘着性が強すぎて、使用後に救急絆創膏を剥がすことが困難であったり、肌の弱いところ部分に貼着させると、剥離時に苦痛を感じる場合もある。
【０００６】
さらに、指などに救急絆創膏を巻き付けて使用する場合、基材シートの長さによって、基材シート同士が重なり合うため、粘着剤層の一部は基材シートに貼着されることとなり、一層剥がしにくいという問題があった。
【０００７】
そこで、この考案は、上記従来の課題を解決するものであり、患部に貼着された救急絆創膏を容易に患部から剥がすことができるとともに、剥離時に生じる痛みを軽減させることができる救急絆創膏を提供することを目的とする。
【課題を解決するための手段】
【０００８】
上記課題を解決するために、本考案は、シート状の基材シートと、基材シート上に配置され、創傷に当接されるパッド部とを有し、基材シートのパッド部が設けられた片面には、粘着性を有する突起部が所定間隔で複数設けられていることを特徴とする。
【０００９】
このような考案によれば、基材シートのパッド部が設けられた片面には、粘着性を有する突起部が所定間隔で複数設けられているので、パッド部を傷口や虫刺され等の患部に当てがった状態にして基材シートを皮膚面に貼着すると、突起部のみが皮膚面に直接当接して、基材シートと皮膚面との間には空間が複数形成されることとなる。これにより、直接皮膚に当接する粘着部材の面積を減らすことができるため、使用後に救急絆創膏を容易に剥がすことができる。さらに、例えば、肌の弱いところ部分に貼着させても、剥離時に生じる痛みを軽減させることができる。
【００１０】
また、例えば、指などに救急絆創膏を巻き付けて使用した場合であっても、基材シートが重なり合う部分の接触面積を減らすことができるため、使用後に救急絆創膏を容易に剥がすことができる。
【００１１】
上記考案において、突起部の頂部は、平滑に形成されていることが好ましい。この場合には、皮膚又は重なり合う基材シートと突起部との接触面を確保しているため、使用時における粘着性を担保することができる。
【００１２】
上記考案において、突起部は、基材シートと一体形成され、当該突起部の表面には粘着剤が被覆されていることが好ましい。この場合、突起部は基材シートと一体形成されているので、粘着剤を基材シート上に塗布する既存の機器を用いることができ、製造コストを抑制することができる。
【００１３】
上記考案において、突起部は、粘着性を有する材質で形成され、基材シートに貼着されていることが好ましい。この場合、突起部は、粘着性を有する材質で形成され、基材シートに貼着されているので、基材シート全面に粘着剤を塗布させることなく、患部に救急絆創膏を貼り付けることができるため、接着剤の量を軽減させてコストを廉価にすることができる。
【００１４】
上記考案において、パッド部及び複数の突起部は、剥離可能に貼着している剥離シートによって被覆されることが好ましい。この場合には、突起部が剥離シートによって被覆されることで使用前の粘度を確保することができるとともに、パッド部が剥離シートによって被覆されることで、パッド部の表面を清潔に維持することができる。
【考案の効果】
【００１５】
本考案によれば、患部に貼着された救急絆創膏を容易に患部から剥がすことができるとともに、剥離時に生じる痛みを軽減させることができる。
【図面の簡単な説明】
【００１６】
【図１】実施形態に係る救急絆創膏の全体構成を示す斜視図である。
【図２】（ａ）は、実施形態に係る基材シートの全体構成を示す斜視図であり、同図（ｂ）は、その側部断面図である。
【図３】実施形態に係る基材シートの突起部の形状を示す説明図であり、（ａ）は突起部を示す上面図であり、同図（ｂ）は、基材シート及び突起部の断面図である。
【図４】実施形態に係る救急絆創膏の使用状態を示す説明図であり、同図（ａ）は、腕などの患部に貼り付けた状態を示す側部断面図であり、同図（ｂ）は、指などの患部に巻き付けた状態を示す正面図である。
【図５】変更例に係る基材シートの突起部の形状を示す説明図であり、（ａ）は突起部を示す上面図であり、同図（ｂ）は、基材シート及び突起部の断面図である。
【図６】変更例に係る基材シートの突起部の形状を示す説明図であり、（ａ）は突起部を示す上面図であり、同図（ｂ）は、基材シート及び突起部の断面図である。
【図７】変更例に係る粘着部の塗布状態を示す側面図である。
【考案を実施するための形態】
【００１７】
本考案の実施形態について、図面を参照しつつ説明する。図１は、本実施形態に係る救急絆創膏１との全体構成を示す斜視図であり、図２（ａ）は、実施形態に係る基材シートの全体構成を示す斜視図であり、同図（ｂ）は、その断面図である。また、図３は、本実施形態に係る基材シートの突起部の形状を示す上面図及び断面図である。
【００１８】
図１に示すように、救急絆創膏１は、平面長方形状の基材シート２の一方の表面２ａに粘着部３が形成されており、この表面２ａの略中央部には、患部（傷口を含む）に接触する平面状のパッド部４が貼付されている。
【００１９】
そして、表面２ａ及びパッド部４は、一対の剥離シート５，６によって被覆、保持されており、救急絆創膏１の使用時には、粘着部３上から剥離シート５，６を剥離したのち、パッド部４を傷口や虫刺され等の患部に当てがった状態にして基材シート２の粘着部３を皮膚面に貼着する。
【００２０】
ここで、基材シート２の材質は特に限定されるものではなく、例えば、ポリ塩化ビニル系樹脂、ポリウレタン系樹脂、ポリエチレン系樹脂、ポリプロピレン系樹脂、ＥＶＡ系樹脂、ポリアクリル系樹脂等、またはこれらの混合物からなる合成樹脂製フィルム又はシート、ポリウレタンなどの材質からなる織布又は不織布を好適に使用することができる。基材シート２は、単層のシートであってもよく、また、同一の若しくは異なった材質のシート、フィルム、織布又は不織布からなる積層シートであってもよい。なお、基材シート２が合成樹脂製のフィルム又はシートからなる場合には、通気性の向上のために、複数の微細な孔が穿設されてもよい。
【００２１】
パッド部４は、略平面のシート形状であり吸液性のものが使用されるが、具体的には、ガーゼ、綿布、不織布、脱脂綿と不織布との複合品、脱脂綿とネット、不織布とネットとの複合品などが適宜使用される。また、パッド部４には、予め殺菌剤をしみ込ませて殺菌消毒するか、あるいは、基材シート２などと組み合わせて救急絆創膏とした後に滅菌処理を施すことが好ましい。
【００２２】
剥離シート５，６としては、例えば、シリコーン離型処理された上質紙、中質紙、グラシン紙等の紙基材、ポリエチレンテレフタレート等のポリエステルフィルム、ポリエチレンフィルム、ポリプロピレンフィルムなどが挙げられるが、粘着部３及びパッド部４を外界より保護し、表面２ａから容易に剥離することができるものであれば、その材質は特に限定されない。
【００２３】
そして、本実施形態において、基材シート２の表面２ａには、図２（ａ）及び（ｂ）に示すように、突起部７が所定間隔で複数設けられている。本実施形態において、突起部７は、基材シート２と一体化されており、基材シート２の表面２ａから突出するように形成されている。この突起部７の材質は基材シート２と同一であり、また、その形状としては、図３に示すように、円柱状となっており、突起部の頂部７ａは平滑に形成されている。
【００２４】
そして、本実施形態では、粘着部３を構成する粘着剤が突起部７を含む基材シート２の表面２ａ全面を覆うように塗布されており、突起部７に粘着性を有することとなっている。  粘着部３を構成する粘着剤としては、例えば、アクリル系粘着剤、ゴム系粘着剤、シリコーン系粘着剤、ポリウレタン系粘着剤、水溶性高分子系粘着剤などを挙げることができるが、耐水性、防水性及び皮膚への低刺激性の点でシリコーン・アクリル系粘着剤が好ましい。
【００２５】
このような構成を有する救急絆創膏１を、図４（ａ）に示すように、パッド部４を傷口や虫刺され等の患部に当てがった状態にして基材シート２の粘着部３を皮膚面９に貼着させると、図４（ａ）に示すように、突起部７の頂部７ａのみが皮膚面９に直接当接して、基材シート２と皮膚面９との間には空間８が複数形成されることとなる。これにより、本実施形態によれば、直接皮膚面９に当接する粘着部３の面積を減らすことができ、使用後に救急絆創膏を容易に剥がすことができる。さらに、例えば、肌の弱いところ部分に貼着させても、剥離時に生じる痛みを軽減させることができる。
【００２６】
また、例えば、図４（ｂ）に示すように、指１０などに救急絆創膏１を巻き付けて使用した場合であっても、基材シート２が重なり合う重複部分１１の面積を減らすことができるため、使用後に救急絆創膏を容易に剥がすことができる。また、本実施形態によれば、突起部７の頂部７ａは、平滑に形成されているため、皮膚面９又は重なり合う基材シート２と、突起部７との接触面積を確保することができ、使用時における粘着性を担保することができる。
【００２７】
さらに、本実施形態において、突起部７は、基材シート２と一体形成されているので、粘着剤を基材シート２上に塗布する既存の機器を用いることができ、製造コストを抑制することができる。また、本実施形態によれば、パッド部４及び複数の突起部７は、剥離可能に貼着している剥離シート５，６によって被覆されるため、使用前の突起部７を被覆する粘着部３の粘度を確保することができるとともに、パッド部４の表面を清潔に維持することができる。
【００２８】
（変更例）
なお、本考案の救急絆創膏１は、基材シート２の形状や大きさ、さらに、基材シート２に設けられるパッド部４、突起部７及び粘着部３の形状、大きさ、及びその配置を特定するものでない。本考案の救急絆創膏は、様々な位置や形状の患部に対応できるように、多種多様の形状や構造とすることができる。
図５及び図６は、本変更例に係る基材シートの突起部の形状を示す説明図であり、（ａ）は突起部を示す上面図であり、同図（ｂ）は、基材シート及び突起部の断面図である。また、図７は、変更例に係る粘着部の塗布状態を示す側面図である。なお、本変更例において、上述した実施形態と同一の構成要素には同一の符号を付し、その機能等は特に言及しない限り同一であり、その説明は省略する。
【００２９】
上述した実施形態における突起部７の形状は、円柱状としたが、本考案はこれに限定するものではなく、例えば、三角柱、四角柱などの種々の形状としてもよく、また、図５（ａ）に示すように、頂部７ａに向かって径が細くなる円錐台状の突起部７ｂとしてもよい。さらに、突起部の頂部７ａが平滑な構成でなくてもよく、例えば、図５（ｂ）に示すように半球状の突起部７ｃとしてもよい。また、本実施形態において、粘着部３は、基材シート２及び突起部７の全面を覆うように形成されたが、本考案はこれに限定するものではなく、例えば、図５（ｃ）に示すように、粘着部３は、突起部７における頂部７ａの表面にのみ塗布されていてもよい。
【００３０】
また、上述した実施形態では、突起部７を基材シート２と一体化した構成を説明したが、本考案はこれに限定するものではなく、粘着部３が構成される材質によって突起部７を形成させ、突起部７を基材シート２上に直接貼着させてもよい。
この場合には、基材シート２全面に粘着剤を塗布させることなく、患部に救急絆創膏１を貼り付けることができるため、接着剤の量を軽減させてコストを廉価にすることができる。
【符号の説明】
【００３１】
１…救急絆創膏
２…基材シート
２ａ…表面
３…粘着部
４…パッド部
５，６…剥離シート
７…突起部
７ａ…頂部
８…空間
９…皮膚面
１０…指
１１…重複部分
【図１】
0003189837.tif 000003
【図２】
0003189837.tif 000004
【図３】
0003189837.tif 000005
【図４】
0003189837.tif 000006
【図５】
0003189837.tif 000007
【図６】
0003189837.tif 000008
【図７】
0003189837.tif 000009